(57)【要約】【課題】  従来の拡大読書器は、大きな構成からなるものであるので弱視者が簡単に持ち運びすることができず、また撮像カメラなど高額な部品を使用していたので高価な装置となっていた。【解決手段】  スマートフォン載置台１は、上面板２と、スマートフォン５Ａが動かないように支持する支持体３と、上面板２を支持する側面板４とを有し、弱視者は、自分のスマートフォン５Ａを上面板２に載置し支持体３で固定した後、このスマートフォン載置台１を移動させて、スマートフォン５Ａのカメラ５ａで撮影した文字映像を拡大してスマートフォン５Ａの表示画面１１で容易に読み取ることができる。【選択図】  図７
2019028323.tif 000002
【特許請求の範囲】
【請求項１】
ロービジョン者が小さい文字の文章を読み取る際に使用するスマートフォン載置台であって、
上部にスマートフォンを載置する板状形状で、スマートフォンのカメラの位置に該カメラのレンズの径よりも大きい切欠部が形成された上面板と、
該上面板の上部に設けられ、スマートフォンの側面と接することによりスマートフォンが動かないように支持する支持体と、
板状形状で、前記上面板の下方に設けられ、該上面板を支持する側面板と、
を有し、
文章の文字に沿って移動させることにより、スマートフォンのカメラで撮影した文字映像を拡大して前記スマートフォンの表示画面に映し、小さい文字の文章を容易に読み取ることができることを特徴とするスマートフォン載置台。
【請求項２】
使用者側の前記側面板の外側底辺は、前記支持体により支持されたスマートフォンの使用者側の側面と略平行に設けられたことを特徴とする請求項１記載のスマートフォン載置台。
【請求項３】
前記支持体は、少なくともスマートフォンの直交する２つの側面を支持することを特徴とする請求項１記載のスマートフォン載置台。
【請求項４】
前記支持体は、スマートフォンの複数の側面と接するように構成され
該複数のスマートフォンの側面と接する前記支持体のうち少なくとも一つの前記支持体は、該支持体が接するスマートフォンの側面と直交する方向にスライド可能に構成されていることを特徴とする請求項３記載のスマートフォン載置台。  
【請求項５】
木材、紙類もしくはプラスチックから構成されていることを特徴とする請求項１記載のスマートフォン載置台。
【請求項６】
前記上面板と前記側面板は、着脱可能に分離できることを特徴とする請求項１記載のスマートフォン載置台。
【発明の詳細な説明】
【技術分野】
【０００１】
本発明は、弱視者が小さい文字を読み取る際に使用するスマートフォン載置台に関するものである。
【背景技術】
【０００２】
従来より、弱視者が小さい文字を読み取る際に使用する拡大読書器が知られている。この種の拡大読書器として、図１２に示すように、基台１０２と、基台１０２の上面に載置されたＬＥＤモニタ１１４と、左右どちらかの側面のカメラホルダ１２４に取り付けられる撮像カメラ１２８と、基台１０２の底面に取り付けられたローラ（図示略）を備えたものがあった（例えば、特許文献１）。ここで、図１２は従来の拡大読書器を示す斜視図である。
【先行技術文献】
【特許文献】
【０００３】
【特許文献１】特開２００４−３６４１２６号公報
【発明の概要】
【発明が解決しようとする課題】
【０００４】
しかしながら、従来の拡大読書器は大きな構成からなるものであるので弱視者が簡単に持ち運びすることができず、また撮像カメラなど高額な部品を使用していたので高価な装置となっていた。
【０００５】
本発明は上記問題点に鑑みてなされたもので、弱視者が外出先に不便なく持ち運びできるとともに、安価で使いやすいスマートフォン載置台を提供することを目的とする。
【課題を解決するための手段】
【０００６】
上記課題を解決し上記目的を達成するために、本発明のうち第１の態様に係るものは、ロービジョン者が小さい文字の文章を読み取る際に使用するスマートフォン載置台であって、上部にスマートフォンを載置する板状形状で、スマートフォンのカメラの位置にカメラのレンズの径よりも大きい切欠部が形成された上面板と、上面板の上部に設けられ、スマートフォンの側面と接することによりスマートフォンが動かないように支持する支持体と、板状形状で、上面板の下方に設けられ、上面板を支持する側面板と、を有し、文章の文字に沿って移動させることにより、スマートフォンのカメラで撮影した文字映像を拡大してスマートフォンの表示画面に映し、小さい文字の文章を容易に読み取ることができることを特徴とするものである。
【０００７】
本発明によれば、支持体によりスマートフォンが動かないように支持しながら、スマートフォン載置台を文章の列に沿って移動させることにより、弱視者であってもスマートフォンのカメラで撮影した文字映像を拡大してスマートフォンの表示画面で容易に読み取ることができる。また、スマートフォン載置台は、上面板と支持体と側面板の部材で構成されているので、安価に構成することができるとともに、弱視者が外出するときに容易に持ち運ぶことができる。
【０００８】
本発明のうち第２の態様に係るものは、第１の態様に係るスマートフォン載置台であって、使用者側の側面板の外側底辺は、支持体により支持されたスマートフォンの使用者側の側面と略平行に設けられたことを特徴とするものである。
【０００９】
本発明によれば、使用者側の側面板の外側底辺が支持体により支持されたスマートフォンの使用者側の側面と略平行に設けられているので、弱視者が横書きの小さい文字の文章を読み取る際に、使用者側の側面板の外側底辺を横書きの文章の列に沿って移動させることにより、読み取るべき文章が流れるように見やすく表示され、文章を容易に読み取ることができる。
【００１０】
本発明のうち第３の態様に係るものは、第１の態様に係るスマートフォン載置台であって、支持体は、少なくともスマートフォンの直交する２つの側面を支持することを特徴とするものである。
【００１１】
本発明によれば、少なくともスマートフォンの直交する２つの側面を支持することにより、スマートフォンが四方にずれることなくしっかり固定することができる。
【００１２】
本発明のうち第４の態様に係るものは、第３の態様に係るスマートフォン載置台であって、支持体は、スマートフォンの複数の側面と接するように構成され、複数のスマートフォンの側面と接する支持体のうち少なくとも一つの支持体は、その支持体が接するスマートフォンの側面と直交する方向にスライド可能に構成されていることを特徴とするものである。
【００１３】
本発明によれば、複数のスマートフォンの側面と接する支持体のうち少なくとも一つの支持体は、その支持体が接するスマートフォンの側面と直交する方向にスライド可能に構成されているので、大きさが異なるスマートフォンであっても支持体をスライドさせることにより動かないようにスマートフォン載置台に載置することができる。
【００１４】
本発明のうち第５の態様に係るものは、第１の態様に係るスマートフォン載置台であって、木材、紙類もしくはプラスチックから構成されていることを特徴とするものである。
【００１５】
本発明によれば、スマートフォン載置台が木材、紙類もしくはプラスチックから構成されているので、安価、軽量、かつ強固に構成することができるとともに、容易に持ち運びすることができる。
【００１６】
本発明のうち第６の態様に係るものは、第１の態様に係るスマートフォン載置台であって、上面板と側面板は、着脱可能に分離できることを特徴とするものである。
【００１７】
本発明によれば、上面板と側面板が着脱可能に分離できるので、スマートフォン載置台を使用しないときは上面板と側面板とを分離させて袋などに入れて持ち運びを容易にすることができる。
【発明の効果】
【００１８】
本発明のスマートフォン載置台によれば、安価かつ使いやすい構成となり、弱視者が外出先に不便なく容易に持ち運びすることができる。
【図面の簡単な説明】
【００１９】
【図１】（ａ）本発明の第１実施形態におけるスマートフォン載置台を示す前方斜視図である。（ｂ）同スマートフォン載置台を示す後方斜視図である。
【図２】（ａ）同スマートフォン載置台にスマートフォンが載置された状態を示す前方斜視図である。（ｂ）同スマートフォン載置台にスマートフォンが載置された状態を示す後方斜視図である。
【図３】（ａ）同スマートフォン載置台にスマートフォンを載置させた状態を示す上面図である。（ｂ）同スマートフォン載置台の上面図である。
【図４】（ａ）同スマートフォン載置台に支持体をスライドさせてスマートフォンを載置させた状態を示す上面図である。（ｂ）同スマートフォン載置台の支持体をスライドさせた状態を示す上面図である。
【図５】同スマートフォン載置台の分解図である。
【図６】同スマートフォン載置台の３つの支持体がスライド可能にした構成を示す図である。
【図７】同スマートフォン載置台の使用方法を示す図である。
【図８】本発明の第２実施形態におけるスマートフォン載置台の斜視図である。
【図９】本発明の第２実施形態におけるスマートフォン載置台の分解図である。
【図１０】本発明の第３実施形態におけるスマートフォン載置台の使用方法を示す図である。
【図１１】（ａ）本発明の第４実施形態におけるスマートフォン載置台の斜視図である。（ｂ）図１１のＡ-Ａ断面を示す図である。
【図１２】従来の拡大読書器を示す斜視図である。
【発明を実施するための形態】
【００２０】
（第１実施形態）
以下、本発明のスマートフォン載置台の第１実施形態について図面を参照にしながら説明する。ここで、図１（ａ）は本発明の第１実施形態におけるスマートフォン載置台を示す前方斜視図であり、図１（ｂ）は同スマートフォン載置台を示す後方斜視図であり、図２（ａ）は同スマートフォン載置台にスマートフォンが載置された状態を示す前方斜視図であり、図２（ｂ）は同スマートフォン載置台にスマートフォンが載置された状態を示す後方斜視図であり、
【００２１】
図１に示すように、スマートフォン載置台１は、上面板２、支持体３（３ａ、３ｂ、３ｃ）、側面板４（４ａ、４ｂ、４ｃ）、および支持棒６を有している。このスマートフォン載置台１は、ロービジョン者（以下、「弱視者」という）が小さい文字を読み取る際に使用するものである。なお、本実施形態では、使用者としてロービジョン者を対象として説明するが、このロービジョン者には、小さい文字を拡大させて読み取る必要がある老年者なども含まれる。以下に具体的に説明する。
【００２２】
上面板２は、木材を材質とし上面が平坦な板状形状からなり、上部にスマートフォン５Ａが載置される。この上面板２には、上面板２の上部に載置されたスマートフォン５Ａのカメラ５ａの位置となるところに、スマートフォン５Ａのカメラ５ａのレンズの径よりも大きい切欠部７（図３（ｂ）参照）が形成されている。なお、本実施形態では、切欠部７を上面板２の角から内部に切り取るように形成されたが、これに限らず、スマートフォン５Ａのカメラ５ａのレンズの径よりも大きい円形の貫通孔や楕円形の貫通孔にしてもよく、スマートフォン５Ａのカメラ５ａの視界を妨げないものであればどのような形状をしてもよい。また、本実施形態では、上面板２を略長方形状としたが、これに限らず、略正方形状や略楕円形状などにしてもよい。
【００２３】
支持体３は、木材を材質とし上面板２の使用者側の上面辺部とその辺と平行な上面辺部およびその辺と直交する上面辺部に設けられている。このように、上面板２の直交する上面辺側に支持体３が設けられているので、スマートフォン５Ａの直交する２つの側面を支持することができ、スマートフォン５Ａが動かないように安定して固定させることができる。ここで、上面板２は側面板４ａおよび側面板４ｃに釘により固定されている。また、支持体３ｂは上面板２を介し側面板４ｂに釘により固定されている。なお、本実施形態では、上面板２の使用者側の支持体３ａとその支持体３ａと直交する支持体３ｃを別体構成として形成させたが、これに限らず、支持体３ａ、３ｃをスライドしない形態にして、上面板２の使用者側の支持体３ａとその支持体３と直交する支持体３ｃを一体構成として形成してもよい。
【００２４】
上面板２の使用者側の支持体３ａおよびそれと直交する支持体３ｃは、それが接するスマートフォン５Ａの側面と直交する方向にスライド（移動）可能に構成されている（図３〜図５参照）。具体的には、上面板２の上部に３列の移動レール溝８ａおよび２列の移動レール溝８ｃが形成され、支持体３ａの下部側方には上面板２の移動レール溝８ａに挿入される３本の支持体棒状部９ａが形成され、また支持体３ｃの下部側方には上面板２の移動レール溝８ｃに挿入される２本の支持体棒状部９ｃが形成されている。そして、支持体３ａの支持体棒状部９ａを上面板２の移動レール溝８ａと勘合させながらスライドさせることにより支持体３ａを移動させることができ、また支持体３ｃの支持体棒状部９ｃを上面板２の移動レール溝８ｃと勘合させながらスライドさせることにより支持体３ｃを移動させることができる。このように、大きさが異なるスマートフォン５Ｂであっても、支持体３をスライドさせることにより動かないようにスマートフォン載置台１に載置させることができる（図４、図５参照）。ここで、図３に示すスマートフォンは外形横幅Ｗ１のスマートフォン５Ａであり、図４に示すスマートフォンは外形横幅がＷ１より大きい外形横幅Ｗ２のスマートフォン５Ｂである。また、図３（ａ）は本発明の第１実施形態におけるスマートフォン載置台にスマートフォンを載置させた状態を示す上面図であり、図３（ｂ）は同スマートフォン載置台の上面図であり、図４（ａ）は同スマートフォン載置台に支持体をスライドさせてスマートフォンを載置させた状態を示す上面図であり、図４（ｂ）は同スマートフォン載置台の支持体をスライドさせた状態を示す上面図であり、  図５は同スマートフォン載置台の分解図である。なお、本実施形態では、上面板２の使用者側の支持体３ａおよびそれと直交する支持体３ｃを、その支持体３ａおよび支持体３ｃが接するスマートフォン５の側面と直交する方向にそれぞれスライド可能に構成させたが、これに限らず、上面板２の使用者側の支持体３ａと対抗する上面板２の上面辺部にスライド可能な支持体３ｂを設けてもよい。すなわち、スマートフォン５（５Ａ，５Ｂ）の側面と接する支持体３（３ａ、３ｂ、３ｃ）のうち少なくとも一つの支持体３をスライド可能に構成するようにしてもよい（図６参照）。このように、支持体３によりスマートフォン５の３つの側面を支持するようにすれば、スマートフォン５が四方にずれることなくしっかり固定することができる。ここで、図６は本発明の第１実施形態におけるスマートフォン載置台の３つの支持体がスライド可能にした構成を示す図である。また、本実施形態では、支持体３（３ａ、３ｂ、３ｃ）の支持体棒状部９（９ａ、９ｂ、９ｃ）を上面板２の移動レール溝８（８ａ、８ｂ、８ｃ）と勘合させることにより支持体３をスライドさせるようにしたが、これに限らず、他の構造を用いて支持体３をスライドさせるようにしてもよい。また、本実施形態では、支持体３（３ａ、３ｂ、３ｃ）の支持体棒状部９（９ａ、９ｂ、９ｃ）の横断面と上面板２の移動レール溝８（８ａ、８ｂ、８ｃ）の横断面とを略同一の横幅形状としたが、これに限らず、支持体３の支持体棒状部９にゴムキャップ（図示略）を被せ、支���体３の支持体棒状部９とゴムキャップの合計横断面を上面板２の移動レール溝８の横断面と略同一として、ゴムキャップで被覆させた支持体３の支持体棒状部９を上面板２の移動レール溝８に挿入させるようにしてもよい。このように、ゴムキャップで被覆させた支持体３の支持体棒状部９を上面板２の移動レール溝８に挿入させることにより、支持体３の支持体棒状部９が上面板２の移動レール溝８から抜け難くすることができる。
【００２５】
側面板４（４ａ、４ｂ、４ｃ）は、木材を材質とし上面板２の下面から下方に延びる板状形状からなり、上面板２の使用者側の下面辺部とそれと対抗する上面板２の下面辺部およびそれと直交する上面板２の下面辺部に設けられ、使用者側と直交する側面板４ｃの右下角部とそれと対抗する側面版４ｂに側面板切欠部１０（１０ｂ、１０ｃ）が形成されている。ここで、側面板切欠部１０は、上面板２下部で側面板４ｃの側面板切欠部１０ｃと側面版４ｂに側面板切欠部１０ｂにより形成された空間のことである。また、使用者側の側面板４ａとそれと対抗する上面板２の側面板４ｂは支持棒６で支持されている。このように、上面板２は３つの側面板４ａ、４ｂ、４ｃと支持棒６により支持されている。また、使用者側の側面板４ａの外側底辺ＭＬ（図７参照）は、支持体３により支持されているスマートフォン５Ａの使用者側の側面と略平行に設けられている。このようにすることにより、スマートフォン載置台１を横書きの文章の上に載せたときに、使用者側の外面底辺を横書きの文字の列に合わせることができ、この状態でスマートフォン載置台１を横書きの文章に沿って移動させることにより、使用者が読みたい文章を容易に読むことができる。なお、本実施形態では、上面板２、支持体３、側面板４、および支持棒６の材質を木材として説明したが、これに限らず、紙類やプラスチックなどの軽くて安価で強固なものを材質として構成させてもよい。
【００２６】
次に、本実施形態におけるスマートフォン載置台１の使用方法について図７を用いて説明する。ここで、図７は本発明の第１実施形態におけるスマートフォン載置台の使用方法を示す図である。本実施形態では、Ａ４の用紙Ｐに横書きに記載された小さい文字を読み取る場合について説明するが、これに限らず、本に横書きに記載された小さい文字などあらゆる文字を読み取る場合にも使用できる。
【００２７】
まず、スマートフォン５Ａを上面板２の上に載置させる。このとき、支持体３ａ、３ｃをスライドさせることにより大きさが異なるスマートフォンであっても動かないように固定することができる。また、スマートフォン５Ａの側面と接する３つの支持体３ａ、３ｂ、３ｃをスライドさせることができるスマートフォン載置台１を用いれば、スマートフォン５Ａのカメラ５ａの位置と上面板２の切欠部７の位置が一致しない場合でも、３つの支持体３ａ、３ｂ、３ｃをスライド（移動）させることにより、スマートフォン５Ａのカメラ５ａの位置と上面板２の切欠部７の位置を合わせることができる。また、支持板３ａ、３ｃをスライドさせてスマートフォン５Ａの大きさに合わせた後は、その支持体３の位置を固定するために伸縮可能で移動レール溝８の断面形状と略同形状の固定部材（図示略）を移動レール溝８に挿入させて、上面板２の上部に載置されたスマートフォン５Ａをしっかり動かないようにしてもよい。なお、本実施形態では、３つの支持体３ａ、３ｂ、３ｃをスライドさせてスマートフォン５Ａのカメラ５ａの位置と上面板２の切欠部７の位置を合わせるようにしたが、これに限らず、２つの支持体３をスライドさせてスマートフォン５Ａのカメラ５ａの位置と上面板２の切欠部７の位置を合わせることもできる。
【００２８】
次に、Ａ４の用紙Ｐに記載された読みたい文字がスマートフォン５Ａのカメラ５ａで撮影できる位置にスマートフォン載置台１を移動させる。スマートフォン載置台１を移動させる際には、スマートフォン５Ａの表示画面１１（モニター）を見ながらスマートフォン載置台１を移動させる。そして、Ａ４の用紙Ｐに記載された読みたい文字がスマートフォン５Ａの表示画面１１に表示された後は、スマートフォン５Ａの表示画面１１に表示される文字を拡大または縮小させ、スマートフォン５Ａの表示画面１１に表示される文字を読み易い大きさに設定する。ここで、スマートフォン５Ａの表示画面１１に表示される文字を拡大または縮小させる方法は、表示画面１１に２本の指を接触されて、縮小するときは指の間を狭め、また拡大するときは指の間を広げるようにして行う。
【００２９】
次に、使用者は右手ＨＲと左手ＨＬでスマートフォン載置台１を持って、スマートフォン載置台１の使用者側の側面板４の外側底辺ＭＬをＡ４の用紙Ｐに横書きに記載された小さい文字の文章の列に合わして、その文章の列に沿って右方向に移動させる。このように、上面板２に載置されたスマートフォン５Ａの使用者側の側面と略平行に設けられている使用者側の側面板４の外側底辺ＭＬを文章の列に沿って移動させることにより、読み取るべき文章が流れるように見やすく表示され、文章が読み取り易くなる。そして、横書きに記載された文章の列の最後の文字がスマートフォン５Ａの表示画面１１に表示され読み取ることができれば、その一段下の行の横書きに記載された文章の列の先頭に合わせることにより、同様の方法で文章の文字がスマートフォン５Ａの表示画面１１に表示され読み取ることができる。
【００３０】
また、スマートフォン載置台１を右方向に移動させている際に、Ａ４の用紙Ｐに記載された文章に関して、メモ書きや印付けを行いたい場合は、使用者側の側面板４の右下角部の側面板切欠部１０からペン等を差込み、文章の横などにメモ書きや印付けを付すことができる。
【００３１】
以上説明したように、スマートフォン載置台１の支持体３によりスマートフォン５Ａが動かないように支持しながら、スマートフォン載置台１を文章に沿って移動させることにより、弱視者であってもスマートフォン５Ａのカメラ５ａで撮影した文字映像を拡大してスマートフォン５Ａの表示画面１１で容易に読み取ることができる。また、スマートフォン載置台１は、上面板２、支持体３、および側面板４の部材で構成されているので、安価に構成することができるとともに、弱視者が外出するときに容易に持ち運ぶことができる。
【００３２】
（第２実施形態）
次に、本発明のスマートフォン載置台の第２実施形態について図８を参照にしながら説明する。ここで、図８は本発明の第２実施形態におけるスマートフォン載置台の斜視図である。
【００３３】
本発明の第２実施形態と第１実施形態の異なる主なところは、第１実施形態では、上面板２が側面板４に取り付けられ、上面板２と側面板４を取り外すことができない構成であるのに対し、第２実施形態では、上面板２と側面板４を取り外すことができる構成にしたところである。なお、第２実施形態においては、第１実施形態と異なるところを中心に説明する。また、第２実施形態では、第１実施形態と同一構成については、同一符号を用い、同一作用効果を奏するものとし説明は省略する。
【００３４】
図８に示すように、スマートフォン載置台２１の側面板２４（２４ａ、２４ｂ、２４ｃ）には側面部分が切り取られた側面板差込突起部２５（２５ａ、２５ｂ、２５ｃ）が形成され、側面板２４ｃには側面板２４ａの側面の側面板差込突起部２５ａが挿入される側面板側部挿入溝２５ｄが形成されている。また上面板２２の下部には側面板２４（２４ａ、２４ｂ、２４ｃ）の上部の側面板差込突起部２５（２５ａ、２５ｂ、２５ｃ）が挿入される上面板下部挿入溝２３（２３ａ、２３ｂ、２３ｃ）が形成されている。この側面板２４の側面板差込突起部２５は上面板２２の上面板下部挿入溝２３に挿入されることから、側面板２４の側面板差込突起部２５の横断面は上面板２２の上面板下部挿入溝２３の横断面と略同一の横幅形状で形成され、また同様に側面板２４ａの側面の側面板差込突起部２５ａは側面板２４ｃの側面板側部挿入溝２５ｄに挿入されることから、側面板２４ａの側面の側面板差込突起部２５ａの横断面は側面板２４ｃの側面板側部挿入溝２５ｄの横断面と略同一の横幅形状に形成されている。なお、本実施形態では、側面板２４（２４ａ、２４ｂ、２４ｃ）の側面板差込突起部２５（２５ａ、２５ｂ、２５ｃ）の横断面と上面板２２の上面板下部挿入溝２３（２３ａ、２３ｂ、２３ｃ）の横断面とを略同一の横幅形状とし、また側面板２４ａの側面の側面板差込突起部２５ａの横断面と側面板２４ｃの側面板側部挿入溝２５ｄの横断面とを略同一の横幅形状としたが、これに限らず、側面板２４（２４ａ、２４ｂ、２４ｃ）の側面板差込突起部２５（２５ａ、２５ｂ、２５ｃ）にゴムキャップ（図示略）を被せ、側面板２４の側面板差込突起部２５とゴムキャップの合計横断面を上面板２２の上面板下部挿入溝２３または側面板２４ｃの側面板側部挿入溝２５ｄの横断面と略同一として、ゴムキャップで被覆させた側面板２４の側面板差込突起部２５を上面板２２の上面板下部挿入溝２３または側面板２４ｃの側面板側部挿入溝２５ｄに挿入させるようにしてもよい。このように、ゴムキャップで被覆させた側面板２４の側面板差込突起部２５を上面板２２の上面板下部挿入溝２３または側面板２４ｃの側面板側部挿入溝２５ｄに挿入させることにより、側面板２４の側面板差込突起部２５が上面板２２の上面板下部挿入溝２３または側面板２４ｃの側面板側部挿入溝２５ｄから抜け難くすることができる。
【００３５】
側面板２４（２４ａ、２４ｂ）の内側下部には、支持部材２６を挿入するための支持部材挿入溝２７（２７ａ、２７ｂ）が形成されている。この支持部材２６は、断面四角形状で、両端部には外周部分が切り取られた支持部材端部差込突起部２８（２８ａ、２８ｂ）が形成されている。そして、支持部材２６の支持部材端部差込突起部２８が側面板２４の支持部材挿入溝２７に挿入される。このように、この支持部材２６の支持部材端部差込突起部２８（２８ａ、２８ｂ）は側面板２４（２４ａ、２４ｂ）の支持部材挿入溝２７（２７ａ、２７ｂ）に挿入されることから、支持部材２６の支持部材端部差込突起部２８の横断面は側面板２４の支持部材挿入溝２７の横断面とは略同一の横幅形状をしている。
【００３６】
次に、本実施形態におけるスマートフォン載置台２１の分解方法について図９を参照にしながら説明する。ここで、図９は本発明の第２実施形態におけるスマートフォン載置台の分解図である。
【００３７】
まず、側面板２４（２４ａ、２４ｂ、２４ｃ）の側面板差込突起部２５（２５ａ、２５ｂ、２５ｃ）を上面板２２の上面板下部挿入溝２３（２３ａ、２３ｂ、２３ｃ）から抜き取り、側面板２４と上面板２２を分離させる。また、側面板２４ａの側面板差込突起部２５ａを側面板２４ｃの側面板側部挿入溝２５ｄから抜き取り、側面板２４ａと側面板２４ｃを分離させる。そして、上面板２２と分離した側面板２４（２４ａ、２４ｂ）の支持部材挿入溝２７（２７ａ、２７ｂ）から支持部材２６の支持部材端部差込突起部２８（２８ａ、２８ｂ）を抜き取る。これにより、側面板２４と上面板２２と支持部材２６がそれぞれ分離する。また、上面板２２にスライド可能な支持体３が設けられている場合は、その支持体３も上面板２２と分離させる。
【００３８】
このように、側面板２４、上面板２２、支持部材２６、および支持体３をそれぞれ分離することによりコンパクトになり、その分離した側面板２４、上面板２２、支持部材２６、および支持体３を袋に入れるなどすることにより、持ち運びが更に容易になる。
【００３９】
（第３実施形態）
次に、本発明のスマートフォン載置台の第３実施形態について図１０を参照にしながら説明する。ここで、図１０は本発明の第３実施形態におけるスマートフォン載置台の使用状態を示す図である。
【００４０】
本発明の第３実施形態と第１実施形態の異なる主なところは、第１実施形態では、横書きに記載された小さい文字を読み取るための構成であるのに対し、第３実施形態では、縦書きに記載された小さい文字を読み取るための構成にしたところである。なお、第３実施形態においては、第１実施形態と異なるところを中心に説明する。また、第３実施形態では、第１実施形態と同一構成については、同一符号を用い、同一作用効果を奏するものとし説明は省略する。
【００４１】
第３実施形態ついては、第１実施形態のスマートフォン載置台１をそのまま使用して、縦書きに記載された小さい文字を読み取ることができる。すなわち、横書きに記載された小さい文字を読み取るためのスマートフォン載置台１を時計回りに９０度回転させて使用することにより、縦書きに記載された小さい文字を読み取ることができる。つまり、第３実施形態では、使用者は右手ＨＲと左手ＨＬでスマートフォン載置台１を持って、スマートフォン載置台１の左側の側面板４ａの外側底辺ＭＬをＡ４の用紙Ｐに縦書きに記載された小さい文字の文章の列に合わして、その文章の列に沿って下方向に移動させる。このように、上面板２に載置されたスマートフォン５Ａの左側の側面と略平行に設けられている左側の側面板４ａの外側底辺ＭＬを文章の列に沿って移動させることにより、読み取るべき文章が流れるように見やすく表示され、文章が読み取り易くなる。そして、縦書きに記載された文章の列の最後の文字がスマートフォン５Ａの表示画面１１に表示され読み取ることができれば、その左側の行の縦書きに記載された文章の列の先頭に合わせることにより、同様の方法で文章の文字がスマートフォン５Ａの表示画面１１に表示され読み取ることができる。
【００４２】
（第４実施形態）
次に、本発明のスマートフォン載置台の第４実施形態について図１１を参照にしながら説明する。ここで、図１１（ａ）は本発明の第４実施形態におけるスマートフォン載置台の斜視図であり、図１１（ｂ）は図１１のＡ-Ａ断面を示す図である。
【００４３】
本発明の第４実施形態と第１実施形態の異なる主なところは、第１実施形態では、支持体３（３ａ、３ｃ）の支持体棒状部９（９ａ、９ｃ）を上面板２の上面の移動レール溝８（８ａ、８ｃ）と勘合させながらスライドさせるようにしたのに対し、第４実施形態では、支持体４３（４３ａ、４３ｃ）の支持体棒状部４９（４９ａ、４９ｃ）を上面板４２の下部に設けられた挿入穴形成板４７（４７ａ、４７ｃ）の棒状部挿入穴４８に挿入させながらスライドさせるようにしたところである。なお、第４実施形態においては、第１実施形態と異なるところを中心に説明する。また、第４実施形態では、第１実施形態と同一構成については、同一符号を用い、同一作用効果を奏するものとし説明は省略する。また、本実施形態については、上記第２実施形態および第３実施形態についても適用される。
【００４４】
上面板４２の使用者側の支持体４３ａおよびそれと直交する支持体４３ｃは、それが接するスマートフォン５Ａの側面と直交する方向にスライド（移動）可能に構成されている。上面板４２の下部には側面板４４（４４ａ、４４ｃ）と釘により結合された挿入穴形成板４７（４７ａ、４７ｃ）が設けられ、挿入穴形成板４７ａには２列の棒状部挿入穴４８ａが形成され、また挿入穴形成板４７ｃには２列の棒状部挿入穴４８ｃが形成されている。この２列の棒状部挿入穴４８ａおよび２列の棒状部挿入穴４８ｃは略円柱形状で形成され、電動ドリルなどを用いて簡単に製作することができる。ここで、側面板４４（４４ａ、４４ｃ）は、第１実施形態の側面板４（４ａ、４ｃ）と比較して、支持体４３（４３ａ、４３ｃ）の支持体棒状部４９（４９ａ、４９ｃ）を通過できるよう、少し低くして形成されている。
【００４５】
支持体４３ａの下部側方には、上面板４２下部の挿入穴形成板４７ａの棒状部挿入穴４８ａに挿入される２本の支持体棒状部４９ａが形成され、また支持体４３ｃの下部側方には、上面板４２の下部の挿入穴形成板４７ｃの棒状部挿入穴４８ｃに挿入される２本の支持体棒状部４９ｃが形成されている。この支持体４３（４３ａ、４３ｃ）の支持体棒状部４９（４９ａ、４９ｃ）は、挿入穴形成板４７（４７ａ、４７ｃ）の棒状部挿入穴４８（４８ａ、４８ｃ）と略同一形状で、アルミニウムなどの金属から形成されている。なお、本実施形態では、支持体棒状部４９をアルミニウムなどの金属から形成させたが、これに限らず、プラスチック、紙類や木材から形成させてもよい。そして、支持体４３ａの支持体棒状部４９ａを挿入穴形成板４７ａの２列の棒状部挿入穴４８ａに沿ってスライドさせることにより支持体３ａを移動させることができ、また支持体４３ｃの支持体棒状部４９ｃを挿入穴形成板４７ｃの２列の棒状部挿入穴４８ｃに沿ってスライドさせることにより支持体３ｃを移動させることができる。このように、第３実施形態においても、第１実施形態同様、大きさが異なるスマートフォン５Ｂであっても、支持体３をスライドさせることにより動かないようにスマートフォン載置台４１に載置することができる。その他については第１実施形態と同様であるので、説明は省略する。ここで、スマートフォン５（５Ａ，５Ｂ）の側面と接する支持体４３（４３ａ、４３ｂ、４３ｃ）のうち少なくとも一つの支持体４３（４３ａ、４３ｂ、４３ｃ）をスライド可能に構成するようにしてもよいなど、第１実施形態と同様なところについては説明を省略する。
【００４６】
今回開示された実施の形態は、すべての点で例示であって制限的なものではないと考えられるべきである。本発明の範囲は、上記した説明ではなくて特許請求の範囲によって示され、特許請求の範囲と均等の意味及び範囲内でのすべての変更が含まれることが意図される。
【符号の説明】
【００４７】
１    スマートフォン載置台
２    上面板
３    支持体
４    側面板
５Ａ  スマートフォン
５Ｂ  スマートフォン（大き目）
５ａ  カメラ
６    支持棒
７    切欠部
８    移動レール溝
９    支持体棒状部
１０  側面板切欠部
１１  表示画面
２１  スマートフォン載置台
２２  上面板
２３  上面板下部挿入溝
２４  側面板
２５  側面板差込突起部
２６  支持部材
２７  支持部材挿入溝
２８  支持部材端部差込突起部
３０  側面板切欠部
３１  スマートフォン載置台
３２  上面板
３３  支持体側面板
３４  側面板
４２  上面板
４３  支持体
４４  側面板
４７  挿入穴形成板
４８  棒状部挿入穴
４９  支持体棒状部
【図１】
2019028323.tif 000003
【図２】
2019028323.tif 000004
【図３】
2019028323.tif 000005
【図４】
2019028323.tif 000006
【図５】
2019028323.tif 000007
【図６】
2019028323.tif 000008
【図７】
2019028323.tif 000009
【図８】
2019028323.tif 000010
【図９】
2019028323.tif 000011
【図１０】
2019028323.tif 000012
【図１１】
2019028323.tif 000013
【図１２】
2019028323.tif 000014